(57)【要約】      （修正有）【課題】組み立て性を低下させずに箱に内容物が収納される商品の歩留りを向上できる包装箱を提供する。【解決手段】第１側面板３、５の下方に折り線を介して連設される第１底面板６３、６５と、第２側面板２、４の下方に折り線を介して連設される第２底面板６２、６４と、第１底面板６３、６５に対して折り線から成る折畳み部９２を介して連設されるとともに所定の接着領域で第２底面板６２、６４が内面側に接着される接着片６３ａ、６５ａとを備え、胴部１０の内部に向かって山折りされる折畳み部９２を折り戻し、第１底面板６３、６５が互いに係合して底面を形成する包装箱１において、接着片６３ａ、６５ａが切込み部８１をそれぞれ非切込み部８２により連結して接着領域を囲む囲み部８０を有し、一の非切込み部８２により折畳み部９２に近接して対向する対向部８２ａを形成し、対向部８２ａの長さが対向部８２ａを除く非切込み部８２よりも長い。【選択図】図３
2015147586.tif 000002
【特許請求の範囲】
【請求項１】
折り線を介して交互に配される第１側面板及び第２側面板をそれぞれ複数有した筒状の胴部と、前記胴部の上面を閉じる天面板と、第１側面板の下方に折り線を介して連設される第１底面板と、第２側面板の下方に折り線を介して連設される第２底面板と、第１底面板に対して折り線から成る折畳み部を介して連設されるとともに所定の接着領域で第２底面板が内面側に接着される接着片とを備え、前記胴部の内部に向かって山折りされる前記折畳み部を折り戻し、複数の第１底面板が互いに係合して底面を形成する包装箱において、
前記接着片が切込みから成る複数の第１切込み部をそれぞれ非切込み部により連結して前記接着領域を囲む囲み部を有し、一の前記非切込み部により前記折畳み部に近接して対向する対向部を形成し、前記対向部の長さが前記対向部を除く前記非切込み部よりも長いことを特徴とする包装箱。
【請求項２】
前記囲み部の平面形状を前記折畳み部に対して一辺を傾斜した略矩形に形成するとともに、前記囲み部の一頂部に前記対向部を配置するとともに前記対向部の対角位置の頂部に第１切込み部を配置したことを特徴とする請求項１に記載の包装箱。
【請求項３】
前記囲み部が前記非切込み部に対向した切込みから成る第２切込み部を有することを特徴とする請求項１または請求項２に記載の包装箱。
【請求項４】
切込みから成る第３切込み部の両端に一直線上に配した折り線を介して前記胴部の上方に連設されるフラップを備えるとともに、前記天面板が先端部を折り線により折曲して第３切込み部に挿入される挿入部と、ミシン目状の対向する一対の切断部により切り取り可能に形成される帯状部とを有し、
第３切込み部が両端部で前記胴部上に延びて互いに広がる方向に傾斜するとともに所定位置で内側または外側に向かって屈曲し、
第３切込み部に挿入される前記挿入部が第３切込み部の下端に係止される係止部を有することを特徴とする請求項１〜請求項３のいずれかに記載の包装箱。
【請求項５】
前記切断部を第３切込み部上に設けたことを特徴とする請求項４に記載の包装箱。
【発明の詳細な説明】
【技術分野】
【０００１】
本発明は、内容物を収納する包装箱に関する。
【背景技術】
【０００２】
従来の包装箱は特許文献１に開示されている。この包装箱は直方体形状を有し、筒状の胴部、天面板、第１底面板、第２底面板及び接着片を備える。筒状の胴部は折り線を介して交互に配される第１側面板及び第２側面板をそれぞれ２枚有する。
【０００３】
天面板は後端に設けた折り線によって一方の第１側面板に対して折曲可能に形成される。天面板の先端部は折り線により折曲される。天面板の先端部を他方の第１側面板の上端部の内側に差し込むことにより、天面板は胴部の上面を閉じる。
【０００４】
第１底面板及び第２底面板はそれぞれ第１側面板及び第２側面板の下方に折り線を介して連設される。接着片は第１底面板に対して折り線から成る折畳み部を介して連設されるとともに所定の接着領域で第２底面板が接着片の内面側に接着される。胴部の内部に向かって山折りされる折畳み部を折り戻し、一対の第１底面板が互いに係合して包装箱の底面が形成される。これにより、胴部の下面が閉じられる。
【０００５】
また、接着片は接着領域を囲む囲み部を有する。囲み部は切込みから成る複数の切込み部をそれぞれ非切込み部により連結して接着領域を囲む。囲み部は平面形状が矩形に形成され、折畳み部に対して一辺が傾斜する。囲み部の各コーナーには切込み部が配され、一のコーナーが折畳み部に面して配される。
【０００６】
上記構成の包装箱は使用場所に搬送される際には、天面板を開いて一方の第１側面板と一方の第２側面板との間の折り線及び他方の第１側面板と他方の第２側面板との間の折り線で胴部が折り曲げられて扁平に押し潰された状態になっている。この時、一対の第１底面板の係合は解除され、折畳み部は胴部の内部に向かって山折りされる。これにより、第１底面板上に接着片及び第２底面板が重なって配され、胴部の下面が開放される。
【０００７】
扁平に押し潰された胴部に対して、一方の第１側面板と一方の第２側面板との間の折り線及び他方の第１側面板と他方の第２側面板との間の折り線を手指で押さえ、一方の折り線を他方の折り線に向かって押す。これにより、第２側面板が第１側面板に対して略垂直になるように胴部が起こされて筒状の胴部が形成される。
【０００８】
この時、胴部の内部に向かって山折りされた折畳み部が折り戻され、一対の第１底面板が互いに係合して包装箱の底面が形成される。すなわち、包装箱の底面はいわゆるオートボトム構造を有する。これにより、内容物を収納する場所において包装箱を容易に組み立てることができる。
【０００９】
内容物が収納された包装箱において、接着片の先端部を摘持して第２底面板から接着片を剥がすと、囲み部の非切込み部に対して一端から他端に向かう力が加わって非切込み部が破断する。このため、開封された痕跡が包装箱の底面に残る。したがって、包装箱に収納された内容物の改竄を防止することができる。
【先行技術文献】
【特許文献】
【００１０】
【特許文献１】特開２００７−４５４４７号公報（第３頁、第４頁、第１図、第３図）
【発明の概要】
【発明が解決しようとする課題】
【００１１】
しかしながら、上記従来の包装箱によると、包装箱を組み立てて底面を形成する際に、第１底面板は折畳み部の折り戻しに伴って下方に向けて力が加わる。接着片は接着領域で第２底面板に接着されるため、接着片には囲み部と折畳み部との間が囲み部内に対して離れる方向の力が作用する。この時、折畳み部に対向する囲み部のコーナーに切込み部が配されるため、接着片が該切込み部で分離して該切込み部に隣接した非切込み部が破断する場合がある。したがって、包装箱に内容物が収納される商品の歩留りが低下する問題があった。
【００１２】
本発明は、組み立て性を低下させずに箱に内容物が収納される商品の歩留りを向上できる包装箱を提供することを目的とする。
【課題を解決するための手段】
【００１３】
上記目的を達成するために本発明は、折り線を介して交互に配される第１側面板及び第２側面板をそれぞれ複数有した筒状の胴部と、前記胴部の上面を閉じる天面板と、第１側面板の下方に折り線を介して連設される第１底面板と、第２側面板の下方に折り線を介して連設される第２底面板と、第１底面板に対して折り線から成る折畳み部を介して連設されるとともに所定の接着領域で第２底面板が内面側に接着される接着片とを備え、前記胴部の内部に向かって山折りされる前記折畳み部を折り戻し、複数の第１底面板が互いに係合して底面を形成する包装箱において、前記接着片が切込みから成る複数の第１切込み部をそれぞれ非切込み部により連結して前記接着領域を囲む囲み部を有し、一の前記非切込み部により前記折畳み部に近接して対向する対向部を形成し、前記対向部の長さが前記対向部を除く前記非切込み部よりも長いことを特徴としている。
【００１４】
この構成によると、胴部の内部に向かって山折りされた折畳み部を折り戻し、複数の第１底面板を互いに係合させると包装箱の底面が形成される。そして、筒状の胴部内に内容物を入れて上面を天面板で閉じると内容物が包装箱に収納される。接着片の先端部を摘持して第２底面板から接着片を剥がすと非切込み部が破断する。
【００１５】
また本発明は、上記構成の包装箱において、前記囲み部の平面形状を前記折畳み部に対して一辺を傾斜した略矩形に形成するとともに、前記囲み部の一頂部に前記対向部を配置するとともに前記対向部の対角位置の頂部に第１切込み部を配置すると好ましい。
【００１６】
また本発明は、上記構成の包装箱において、前記囲み部が前記非切込み部に対向した切込みから成る第２切込み部を有すると好ましい。この構成によると、接着片の先端部を摘持して第２底面板から接着片を剥がすと、第１切込み部と第２切込み部との間でも接着片が破断する。
【００１７】
また本発明は、上記構成の包装箱において、切込みから成る第３切込み部の両端に一直線上に配した折り線を介して前記胴部の上方に連設されるフラップを備えるとともに、前記天面板が先端部を折り線により折曲して第３切込み部に挿入される挿入部と、ミシン目状の対向する一対の切断部により切り取り可能に形成される帯状部とを有し、第３切込み部が両端部で前記胴部上に延びて互いに広がる方向に傾斜するとともに所定位置で内側または外側に向かって屈曲し、第３切込み部に挿入される前記挿入部が第３切込み部の下端に係止される係止部を有すると好ましい。
【００１８】
また本発明は、上記構成の包装箱において、前記切断部を第３切込み部上に設けると好ましい。
【発明の効果】
【００１９】
本発明によると、胴部の内部に向かって山折りされる折畳み部を折り戻し、複数の第１底面板が互いに係合して包装箱の底面を形成するので、包装箱を容易に組み立てることができる。また、複数の第１切込み部を非切込み部により連結した囲み部により接着片と第２底面板との接着領域を囲み、第１底面板と接着片との間の折畳み部に対向した一の非切込み部から成る対向部が他の非切込み部よりも長く形成される。これにより、包装箱を組み立てる過程で折畳み部に力が加わっても非切込み部の破断を防止することができる。したがって、包装箱の組み立て性を低下させずに包装箱に内容物を収納した商品の歩留まりを向上させることができる。
【図面の簡単な説明】
【００２０】
【図１】本発明の実施形態の包装箱の開封前の状態を示す斜視図
【図２】本発明の実施形態の包装箱の天面板を閉じる前の状態を示す斜視図
【図３】本発明の実施形態の包装箱の底面図
【図４】本発明の実施形態の包装箱のブランク板を示す展開図
【図５】本発明の実施形態の包装箱の天面板を開いて胴部を折曲部で折り曲げて扁平に押し潰した状態を示す正面図
【図６】本発明の実施形態の包装箱の天面板を開いて胴部を折曲部で折り曲げて扁平に押し潰した状態を示す底面図
【図７】本発明の実施形態の包装箱の胴部を扁平に押し潰した状態から組み立てる様子を底面側から見た斜視図
【図８】本発明の実施形態の包装箱の胴部を扁平に押し潰した状態から組み立てる様子を底面側から見た斜視図であって底面部を形成する様子を説明するための説明図
【図９】本発明の実施形態の包装箱の改竄後の状態を示す底面図
【発明を実施するための形態】
【００２１】
以下に本発明の実施形態を図面を参照して説明する。図１及び図２は本発明の一実施形態の包装箱の斜視図を示している。図１は開封前の包装箱１を示し、図２は天面板７を閉じる前の包装箱１を示している。包装箱１は直方体形状を有し、筒状の胴部１０、天面板７及び底面部６（図３参照）を備えて内容物（不図示）を収納する。胴部１０は上端及び下端にそれぞれ開口面（不図示）を有する。天面板７は上方の開口面を閉じ、底面部６は下方の開口面を閉じる。
【００２２】
胴部１０は水平方向に順に連設される４枚の側面板２、側面板３、側面板４（図４参照）、側面板５（図４参照）により軸方向（上下方向）に垂直な断面が矩形に形成される。側面板３、５（第１側面板）が互いに対向し、側面板２、４（第２側面板）が互いに対向する。また、側面板２と側面板３との間及び側面板４と側面板５との間には、胴部１０の軸方向（上下方向）に延びる折り線９０から成る折曲部９３、９４（折曲部９４については図４及び図５参照）がそれぞれ設けられる。
【００２３】
側面板３の上端には折り線９０を介して前方フラップ３１が連設される。また、側面板３と前方フラップ３１との間の折り線９０上にはスリット３ａ（第３切込み部）が設けられる。すなわち、前方フラップ３１はスリット３ａの両端に一直線上に配した折り線９０を介して側面板３の上端に連設される。スリット３ａは両端部で側面板３上に延びて互いに広がる方向に傾斜するとともに所定位置で内側に屈曲する。
【００２４】
天面板７は後端に設けた折り線９０によって側面板５に対して折曲可能に形成され、帯状部７１及び挿入部７２を有する。挿入部７２は天面板７の先端部を折り線９０により折曲してスリット３ａに挿入される。また、挿入部７２は基部７２ｂから両側方に突出して形成される係止部７２ａを有する。これにより、スリット３ａに挿入された挿入部７２を上方に向けて引くと、係止部７２ａがスリット３ａの下端に係止される。したがって、スリット３ａに挿入された挿入部７２がスリット３ａから抜けることを防止できる。
【００２５】
なお、スリット３ａが両端部で側面板３上に延びて互いに広がる方向に傾斜するとともに所定位置で外側に屈曲してもよい。この場合でも、スリット３ａに挿入された挿入部７２を上方に向けて引いても係止部７２ａがスリット３ａの下端に係止され、スリット３ａから抜くことができない。
【００２６】
帯状部７１はミシン目状の対向する一対の切断部７１ａにより天面板７から切り取り可能に形成される。切断部７１ａは天面板７の前部に左右方向に延びて前後に対向する。前方の切断部７１ａは天面板７の挿入部７２を折曲する折り線９０上に設けられ、スリット３ａ上に配される。また、後方の切断部７１ａは天面板７の両側端に渡って延びている。後方の切断部７１ａの左端にはＶ字状の切れ目から成るノッチ部７１ｂが形成される。使用者が帯状部７１の左端部を摘持して右方へ引くと、切断部７１ａに沿って帯状部７１が天面板７から切り取られる。これにより、使用者は包装箱１を容易に開封することができる。
【００２７】
図３は包装箱１の底面図を示している。包装箱１の底面部６は一対の第１底面板６３、６５、一対の接着片６３ａ、６５ａ及び一対の第２底面板６２、６４を有する。第１底面板６３、６５は折り線９０を介してそれぞれ側面板３及び側面板５の下端に連設される。接着片６３ａ、６５ａは側面板３に対して傾斜した折り線９０から成る折畳み部９２を介してそれぞれ第１底面板６３、６５の側端に連設される。第２底面板６２、６４は折り線９０を介してそれぞれ側面板２、４の下端に連設される。第２底面板６２、６４は接着領域Ｂ２、Ａ２（図４参照）を介して接着剤等によりそれぞれ接着片６３ａ、６５ａの内面の接着領域Ｂ１、Ａ１（図４参照）に接着される。
【００２８】
第１底面板６３の先端部が接着片６５ａに接着された第２底面板６４の内面側に配されるとともに、第１底面板６５の先端部が接着片６３ａに接着された第２底面板６２の内面側に配される。この時、第１底面板６３、６５が互いに係合して底面部６が形成される。なお、底面部６の形成方法の詳細は後述する。
【００２９】
接着片６３ａ、６５ａには囲み部８０が設けられる。囲み部８０は切込みから成る複数の切込み部８１（第１切込み部）をそれぞれ非切込み部８２により連結して接着領域Ａ１、Ｂ１（図４参照）を囲む。囲み部８０は平面形状を折畳み部９２に対して一辺を傾斜した略矩形に形成される。詳細を後述するように、非切込み部８２が破断している場合に底面部６を介して内容物の改竄が行われたと判断することができる。
【００３０】
また、一の非切込み部８２により折畳み部９２に近接して対向する対向部８２ａを形成する。対向部８２ａの長さは対向部８２ａを除く非切込み部８２よりも長くなっている。対向部８２ａは囲み部８０の一頂部に配置されるとともに対向部８２ａの対角位置の頂部に切込み部８１が配置される。
【００３１】
また、囲み部８０は非切込み部８２に対向した切込みから成る切込み部８３（第２切込み部）を有する。切込み部８３は非切込み部８２に近接して切込み部８１よりも囲み部８０の内側に設けられる。なお、切込み部８３を切込み部８１よりも囲み部８０の外側に設けてもよい。また、対向部８２ａに近接して対向する位置には切込み部８３を設けない。
【００３２】
囲み部８０内にはミシン目状の接着剤保持部１１が設けられる。接着剤保持部１１のミシン目で接着剤が保持されやすくなり、接着片６３ａ、６５ａをそれぞれ第２底面板６２、６４に確実に接着させることができる。
【００３３】
図４は包装箱１の展開図を示している。なお、図４は組立後の包装箱１の外面になる部分を見た図になっている。包装箱１を形成するブランク板１００は紙製のシートを打ち抜いて形成される。ブランク板１００の材質に特に限定はないが、例えばマニラボール、ボール紙、カード紙、クラフトボール等の板紙を用いることができる。また、樹脂シートによりブランク板１００を形成してもよい。
【００３４】
側面板２、３、４、５は折り線９０を介して順に連設され、側面板５の一端には糊代片５５が折り線を介して連設される。糊代片５５を側面板２の内面に接着して胴部１０（図１参照）が形成される。側面板３の上端には折り線９０を介して前方フラップ３１（フラップ）が連設され、側面板５の上端には折り線９０を介して天面板７が連設される。側面板３、５の下端には折り線９０を介してそれぞれ第１底面板６３、６５が連設される。
【００３５】
側面板２、４の上端には折り線９０を介してそれぞれ側方フラップ２１、４１が連設され、下端には折り線９０を介してそれぞれ第２底面板６２、６４が連設される。第２底面板６２、６４の外面の一部には接着領域Ｂ２、Ａ２が形成され、接着領域Ｂ２、Ａ２上にはミシン目状の接着剤保持部１１が設けられる。
【００３６】
第１底面板６３、６５及び第２底面板６２、６４の図中、右方に面した側辺は側面板３の底辺に対して略４５゜傾斜している。接着片６３ａ、６５ａは第１底面板６３、６５の傾斜した右方の側辺を延長した折り線９０から成る折畳み部９２を介して第１底面板６３、６５に連設される。接着片６３ａ、６５ａの内面にはそれぞれ接着領域Ｂ１、Ａ１が形成され、接着領域Ｂ１、Ａ１上にはミシン目状の接着剤保持部１１が設けられる。また、接着片６３ａ、６５ａには接着領域Ｂ１、Ａ１を囲む囲み部８０が設けられる。
【００３７】
図４のブランク板１００において、側面板２、４をそれぞれ折り線９０で側面板３の内面側に向けて略９０度折り曲げる。そして、側面板５を側面板４の内面側に向けて折り線９０で略９０度折り曲げるとともに、糊代片５５を側面板５の内面側に向けて折り線９０で略９０度折り曲げる。
【００３８】
そして、接着剤等により糊代片５５の外面を側面板２の後端部（図４では右端部）の内面に接着させる。これにより、筒状の胴部１０が形成される。
【００３９】
また、接着領域Ａ１、Ａ２の少なくとも一方に接着剤等が塗布され、接着領域Ａ１、Ａ２で接着片６５ａと第２底面板６４とが貼り合わされる。接着領域Ｂ１、Ｂ２の少なくとも一方に接着剤等が塗布され、接着領域Ｂ１、Ｂ２で接着片６３ａと第２底面板６２とが貼り合わされる。
【００４０】
そして、側面板２、３間の折り線９０から成る折曲部９３で側面板２、３が対向するように折曲し、側面板４、５間の折り線９０から成る折曲部９４で側面板４、５が対向するように折曲する。これにより、胴部１０を扁平に押し潰すことができる。
【００４１】
図５は胴部１０が扁平に押し潰された包装箱１を示す正面図である。図６は、胴部１０が扁平に押し潰された包装箱１の底面図である。なお、図６では囲み部８０の図示を省略している。側面板５及び側面板２の内面はそれぞれ側面板４及び側面板３の内面に近接している。この時、第１底面板６５、６３は互いに離れている。すなわち、第１底面板６３、６５の係合が解除されている。また、折畳み部９２は胴部１０の内部に向かって山折りされ、接着片６３ａ、６５ａはそれぞれ第１側面板６３、６５に重なって配される。以上のように、胴部１０が扁平に押し潰された包装箱１では底面部６は胴部１０の下面を閉じていない。
【００４２】
包装箱１は扁平に押し潰された容積の小さい状態で輸送や保管が行われる。したがって、包装箱１の輸送コスト及び保管コストを削減することができる。
【００４３】
図５の状態から折曲部９３、９４を互いに接近する方向に手指で押さえる。これにより、側面板２、４が側面板３及び側面板５に対して略垂直になるように胴部１０が起こされる。
【００４４】
図７及び図８は図５の扁平に押し潰された状態から包装箱１を組み立てる際の底面部６が形成される様子を示す斜視図である。上記のように、折曲部９３を折曲部９４側へ押して胴部１０を起こすと、胴部１０の内部に向かって山折りされた折畳み部９２が折り戻されて、第１底面板６３、６５が互いに係合して底面部６を形成する。この時、第１底面板６５の先端部が第１底面板６３と第２底面板６２との間を通って第２底面板６２の内面側に配される。また、第１底面板６３の先端部が第１底面板６５と第２底面板６４との間を通って第２底面板６４の内面側に配される。
【００４５】
以上のように、扁平に押し潰された胴部１０を起こすと同時に底面部６も形成される。すなわち、包装箱１はいわゆるオートボトム構造を有する。これにより、内容物を包装箱１に収納する場所で包装箱１を容易に組み立てることができる。
【００４６】
包装箱１を組み立てて底面部６を形成する際に、第１底面板６３、６５は折畳み部９２の折り戻しに伴って下方に向けて力が加わる。接着片６３ａ、６５ａは接着領域Ｂ１、Ａ１でそれぞれ第２底面板６２、６４に接着されるため、接着片６３ａ、６５ａには囲み部８０と折畳み部９２との間が囲み部８０内に対して離れる方向の力が作用する。
【００４７】
この時、一の非切込み部８２により折畳み部９２に近接して対向する対向部８２ａを形成し、対向部８２ａの長さが対向部８２ａを除く非切込み部８２よりも長くなっている。このため、包装箱１を組み立てる過程で折畳み部９２に力が加わっても対向部８２ａの破断を防止することができる。また、対向部８２ａを除く非切込み部８２は対向部８２ａよりも折畳み部９２から離れているため、折畳み部９２に力が加わっても破断しにくい。したがって、包装箱１の組み立て過程における非切込み部８２の破断を防止することができる。
【００４８】
底面部６を形成した胴部１０内には、上方の開口面を介して内容物が収納される。その後に、前方フラップ３１を側面板３の内面側に向けて折り線９０で略９０度折り曲げた後に、側方フラップ２１、４１を前方フラップ３１に向けて折り線９０で略９０度折り曲げる。そして、天面板７を側方フラップ２１、４１に向けて折り線９０で略９０度折り曲げるとともに、挿入部７２を折り線９０で天面板７の内面側に向けて略９０度折り曲げる。その後に、挿入部７２をスリット３ａに挿入する。これにより、天面板７は胴部１０の上方の開口面を閉じ、内容物は包装箱１内に収納される。
【００４９】
包装箱１に内容物が収納された商品を購入した顧客等は、天面板７上の切断部７１ａに沿って帯状部７１を天面板７から切り取ることによって天面板７を開いて内容物を取り出すことができる。そして、内容物を取り出した包装箱１を図５に示すように折曲部９３、９４で折り曲げて扁平に押し潰すことにより減容化を図ってゴミ容量を削減することができる。
【００５０】
なお、スリット３ａに挿入された挿入部７２を上方に引くと、係止部７２ａがスリット３ａの下端に係止される。この状態でさらに挿入部７２を上方に引くと、スリット３ａの周縁部の側面板３が破断し、または挿入部７２が切断部７１ａで天面板７から切り離される。したがって、開封した痕跡が天面板７に残るため、天面板７を介した内容物の改竄を容易に防止することができる。
【００５１】
図９は包装箱１の底面部６を開いて改竄された後の状態を示す底面図である。底面部６において、例えば接着片６５ａの先端部を摘持して折畳み部９２の方向に力を加えて接着片６５ａを第２底面板６４から剥がすと、非切込み部８２に破断ＢＲ１が生じたり、切込み部８１と切込み部８３との間に破断ＢＲ２が生じたりする。また、対向部８２ａに隣接する切込み部８１と折畳み部９２との間に破断ＢＲ３が生じたりする。したがって、開封した痕跡が底面部６に残り、底面部６を介した内容物の改竄を容易に防止することができる。なお、接着片６３ａの先端部を摘持して折畳み部９２の方向に力を加えて接着片６３ａを第２底面板６２から剥がした場合にも破断ＢＲ１、ＢＲ２、ＢＲ３と同様な破断が接着片６３ａに生じる。
【００５２】
本実施形態によると、胴部１０の内部に向かって山折りされる折畳み部９２を折り戻し、第１底面板６３、６５が互いに係合して底面部６を形成するので、包装箱１を容易に組み立てることができる。また、複数の切込み部８１（第１切込み部）を非切込み部８２により連結した囲み部８０により接着片６３ａ、６５ａと第２底面板６２、６４との接着領域Ｂ１、Ａ１を囲み、第１底面板６３、６５と接着片６３ａ、６５ａとの間の折畳み部９２に対向した一の非切込み部８２から成る対向部８２ａが他の非切込み部８２よりも長く形成される。これにより、包装箱１を組み立てる過程で折畳み部９２に力が加わっても非切込み部８２の破断を防止することができる。したがって、包装箱１の組み立て性を低下させずに包装箱１に内容物を収納した商品の歩留まりを向上させることができる。
【００５３】
また、囲み部８０の平面形状を折畳み部９２に対して一辺を傾斜した略矩形に形成するとともに、囲み部８０の一頂部に対向部８２ａを配置している。これにより、対向部８２ａを除く非切込み部８２は対向部８２ａよりも折畳み部９２から離れているため、折畳み部９２に力が加わっても破断しにくい。したがって、包装箱１の組み立て過程における非切込み部８２の破断を一層防止することができる。また、対向部８２ａの対角位置の頂部に切込み部８１を配置しているので、底面部６を開いて内容物を改竄した際に非切込み部８２が容易に破断し、一層容易に開封の痕跡を残すことができる。
【００５４】
また、囲み部８０が非切込み部８２に対向した切込みから成る切込み部８３（第２切込み部）を有するので、内容物を収納した包装箱１の底面部６を開いた際に切込み部８１と切込み部８３との間でも破断が生じる。したがって、包装箱１に収納された内容物の改竄を一層容易に防止することができる。
【００５５】
また、天面板７が先端部を折り線９０により折曲してスリット３ａ（第３切込み部）に挿入される挿入部７２と、ミシン目状の対向する一対の切断部７１ａにより切り取り可能に形成される帯状部７１とを有し、スリット３ａに挿入される挿入部７２がスリット３ａの下端に係止される係止部７２ａを有する。これにより、天面板７を確実に閉じることができるとともに、帯状部７１を切り取って包装箱１を容易に開封することができる。したがって、天面板７を開いた痕跡が天面板７に明確に残る。その結果、包装箱１の内容物の改竄を一層容易に防止することができる。
【００５６】
また、切断部７１ａをスリット３ａ上に設けているので、挿入部７２を無理にスリット３ａから抜くと挿入部７２が切断部７１ａで破断する。したがって、天面板７を開いた痕跡が残り、包装箱１の内容物の改竄を一層容易に防止することができる。
【００５７】
なお、本実施形態において、囲み部８０の平面形状は矩形に限定されない。囲み部８０の平面形状を例えば円形、楕円形や多角形等に形成してもよい。また、囲み部８０の平面形状をＬ字状に形成してもよい。
【００５８】
また、接着片６３ａ、６５ａの内面の全面に接着剤等を塗布してそれぞれ第２底面板６２、６４に接着してもよい。これにより、接着片６３ａ、６５ａの先端部を摘持しにくくなり、接着片６３ａ、６５ａを第２底面板６２、６４から剥がしにくくすることができる。したがって、包装箱１の内容物の改竄を一層確実に防止することができる。
【００５９】
また、包装箱１の立体形状は、直方体に限定されず、例えば六角柱などでもよい。すなわち、オートボトム構造を有する多角注でもよい。
【産業上の利用可能性】
【００６０】
本発明は、内容物を収納する包装箱に利用可能である。
【符号の説明】
【００６１】
１    包装箱
２    側面板（第２側面板）
３    側面板（第１側面板）
３ａ  スリット（第３切込み部）
４    側面板（第２側面板）
５    側面板（第１側面板）
６    底面部
７    天面板
１０    胴部
２１    側方フラップ
３１    前方フラップ
４１    側方フラップ
５５    糊代片
６２    第２底面板
６３    第１底面板
６３ａ  接着片
６４    第２底面板
６５    第１底面板
６５ａ  接着片
７１    帯状部
７１ａ  切断部
７１ｂ  ノッチ部
７２    挿入部
７２ａ  係止部
８０    囲み部
８１    切込み部（第１切込み部）
８２    非切込み部
８２ａ  対向部
８３    切込み部（第２切込み部）
９０    折り線
９２    折畳み部
９３    折曲部
９４    折曲部
１００    ブランク板
【図１】
2015147586.tif 000003
【図２】
2015147586.tif 000004
【図３】
2015147586.tif 000005
【図４】
2015147586.tif 000006
【図５】
2015147586.tif 000007
【図６】
2015147586.tif 000008
【図７】
2015147586.tif 000009
【図８】
2015147586.tif 000010
【図９】
2015147586.tif 000011